(57)【要約】【課題】  撮像装置において、近紫外、近赤外域の光線により発生する色にじみを低減する。【解決手段】  結像レンズのズームポジションとフォーカス位置と絞りの値より、近紫外および近赤外で色の滲みが発生する結像レンズの状態を検出し、その検出した値と、別途設けられた輝度測定手段により検出された輝度から色滲みの発生を予測し、予測値があらかじめ設定された基準を超えた場合には光学フィルタを撮像装置の撮像光路中に自動で挿入する。【選択図】  図１
2006173978.tif 000002
【特許請求の範囲】
【請求項１】
撮像レンズのズームポジションを検知する手段と、撮像レンズのフォーカス位置を検知する手段と、撮像レンズの絞り値を検知する手段と、被写体の輝度を検知する手段と、前記検知手段の出力に基づき撮像レンズによる画質を判定する手段と、前記判定手段の出力により結像レンズの光路中に光学フィルタを挿入する駆動手段と、を有する撮像装置。
【請求項２】
請求項１記載の光学フィルタは波長４００ナノメートル付近以下の光線をカットすることを特徴とする撮像装置。
【請求項３】
請求項１記載の光学フィルタは波長７００ナノメートル付近以上の光線をカットすることを特徴とする撮像装置。
【請求項４】
請求項１記載の撮像装置において、被写体の輝度を検知する手段と、撮像素子が同一である撮像装置。
【発明の詳細な説明】
【技術分野】
【０００１】
本発明は、撮像装置の画質向上に関する。
【背景技術】
【０００２】
図６は従来のデジタルカメラの結像光学系である。被写体６０１からの光線は結像レンズ１０１、光学ローパスフィルタ６０２、赤外カットフィルタ６０３を通して、撮像素子６０４に結像する。被写体の像は図７に示すように撮像素子の感度のある波長域の光線すべてにより形成される。
【０００３】
又、別の従来例としては、例えば特許文献１をあげることが出来る。
【特許文献１】特開２００２−２３３５６９号公報
【発明の開示】
【発明が解決しようとする課題】
【０００４】
しかしながら、結像レンズは可視域のほとんどの部分について色収差を補正しているが、多くの場合、近紫外および近赤外の波長域では色収差が残存している。また、被写体からの光線の輝度が高い場合には、色収差による色の滲みが顕著に表れ、被写体が青または赤く滲むという、欠点があった。また、夜景の撮影時のように被写体に水銀灯のような近紫外の光源がある場合には被写体が青く滲むという、欠点があった。
【課題を解決するための手段】
【０００５】
本発明における実施例は、結像レンズのズームポジションとフォーカス位置と絞りの値より、近紫外および近赤外で色の滲みが発生する結像レンズの状態を検出し、その検出した値と、別途設けられた輝度測定手段により検出された輝度から色滲みの発生を予測し、予測値があらかじめ設定された基準を超えた場合には光学フィルタを撮像装置の撮像光路中に自動で挿入する。
【０００６】
本実施例によれば、近紫外および近赤外の波長域の光線を阻止することで、その波長域の色滲みをなくし、良好な画像を得ることができる。
【発明の効果】
【０００７】
本発明によれば、被写体の輝度に応じて、自動的に光学フィルタを撮像レンズの光路に挿入することで、近紫外および近赤外の波長域の色滲みのみをなくし、被写体の持つ色合いを失うことなく良好な画像を得ることができる。
【０００８】
図１に、本発明の構成図を示す。画像を撮像する撮像レンズ１０１、撮像レンズのズームポジション検知する手段１０２、撮像レンズのフォーカス位置を検知する手段１０３、撮像レンズの絞りの値を検知する手段１０４、および、これらの出力より色滲みが発生する状態か否かを判別する手段１０５を有する。此れとは別に被写体の輝度を測定する手段１０６を有する。撮像レンズの状態と、輝度情報から、色滲みの発生を判断し波長カットフィルタを撮像レンズの光路に挿入するか否かを判定する手段１０７を有し、波長カットフィルタ駆動装置１０８を用いて撮像光学系の光路中に波長カットフィルタ１０９を挿入する。なおこの波長カットフィルタは可視域部の阻止域の少ないもので画像の品質に対して影響の少ないものである。また、輝度を測定する手段１０６は、撮像素子を兼用してもよい。
【０００９】
次に、本発明のフローを図２を用いて説明する。まず、撮像レンズのズームポジションおよびフォーカス位置および絞り値を検出する。撮像レンズによる色滲みの量は、ズームポジションおよびフォーカス位置および絞り値から計算できる。この計算結果からどの波長域の光線が滲むかが判断される。また、被写体の輝度測定結果より光線に滲みが発生する波長域の光線の滲み量を予測することができる。ここで、撮像レンズからの色滲み情報と被写体の輝度とを比較し色滲みが発生する条件が設定値以上であった場合には自動的に撮像レンズの光路中に光学フィルタを駆動装置を用いて挿入する。
【００１０】
次に本発明の実施例を述べる。まず、撮像レンズのズームポジションおよびフォーカス位置および絞り値を検出する。この結果、短波長側の光線が色滲みを起こすと判断された場合には、このときの輝度を測定しその結果が閾値を超えた場合には紫外カットフィルタを光路に挿入する。また、長波長側の光線が色滲みを起こすと判断された場合には、このときの輝度を測定しその結果が閾値を超えた場合には赤外カットフィルタを光路に挿入する。
【００１１】
具体的に、特定ズームポジションおよびフォーカス位置および絞り値の場合に、短波長側での色滲みが発生しやすくなる場合について述べる。図３に示すように輝度が高い場合には低輝度時に比べて短波長側での色滲みが大きくなり、光学フィルタがない場合の色滲みは第３図に示すように波長４００ナノメートルの光線まで滲み、また輝度が大きいほど滲み量が大きくなるため全体の滲み量が大きく見える。そこで波長４１０ナノメートル以下の光線をカットするフィルタを光路中に挿入し図４のような分光特性にすることにより、画像全体の質を落とすことなく青色の滲みを低減することができる。長波長側での色滲みが発生するズームポジションおよびフォーカス位置および絞り値の場合も同様であり、光学フィルタがない場合の色滲みは波長７００ナノメートルの光線まで滲むため全体の滲み量が大きく見える。そこで波長６８０ナノメートル以下の光線をカットするフィルタを光路中に挿入することで、画像全体の質を落とすことなく赤色の滲みを低減することができる。
【００１２】
また、画像全体の輝度が低い場合には、被写体が夜景であると判断する。被写体が夜景のような場合には被写体中に水銀灯のような近紫外の光線を多く含む光源が存在することが多く、それによる図５のように色のにじみが発生する事が多い。そこで波長４１０ナノメートル以下の光線をカットするフィルタを光路中に挿入し図６のような分光特性にすることにより、近紫外の光線により発生する色の滲みを低減することが出来る。
【図面の簡単な説明】
【００１３】
【図１】本発明の構成図
【図２】本発明の色滲み判別と光学フィルタ挿入の処理フロー
【図３】短波長域で輝度の違いによる色滲みを示す図
【図４】波長カットフィルタを用いたときの分光特性
【図５】水銀灯の短波長域の光線による色滲み
【図６】従来装置の構成図
【符号の説明】
【００１４】
１０１  撮像レンズ
１０２  撮像レンズのズームポジション検知する手段
１０３  撮像レンズのフォーカス位置を検知する手段
１０４  撮像レンズの絞りの値を検知する手段
１０５  色滲みの発生を判別する手段
１０６  被写体の輝度を測定する手段
１０７  波長カットフィルタの撮像レンズの光路への挿入を判定する手段
１０８  波長カットフィルタ駆動装置
１０９  波長カットフィルタ
６０１  被写体
６０２  光学ローパスフィルタ
６０３  赤外カットフィルタ
６０４  撮像素子
【図１】
2006173978.tif 000003
【図２】
2006173978.tif 000004
【図３】
2006173978.tif 000005
【図４】
2006173978.tif 000006
【図５】
2006173978.tif 000007
【図６】
2006173978.tif 000008